(57)【要約】【課題】  最小限の構成で効率的にデータの損傷を防止する。【解決手段】  記録媒体（ＨＤＤユニット１４）を取り出す際には、媒体挿入部（窓３１）の近傍に設けた穴もしくは凹部（指入れ凹部）に指を入れて、記録媒体（ＨＤＤユニット１４）をつかんで引き抜く構造（指を入れないと引き抜けない構造）とする。なお、上述した実施例では、指入れ凹部は記録媒体（ＨＤＤユニット１４）の側面に位置しているが、記録媒体（ＨＤＤユニット１４）の天面および底面など、記録媒体（ＨＤＤユニット１４）の引き抜きが可能で保持できる箇所が限定できればその設置箇所は問わない。また、穴もしくは凹部（指入れ凹部３１ａ，３１ａ）に指が入ったことはアクセスランプであるＬＥＤ３４で検知する装置を備える。（光学センサー、スイッチ、タッチセンサー等）【選択図】  図５
2015187899.tif 000002
【特許請求の範囲】
【請求項１】
ハードディスクに所定のケースが装着された脱着可能なＨＤＤユニットと、
このＨＤＤユニットを挿入可能でパネル面に開口する収容穴を備えて、挿入完了時に同ＨＤＤユニットのケースの背面がほぼ前記パネル面と面一となり、電気的な接続が完了するとともに、前記開口の開口縁部において前記ＨＤＤユニットを挿入したときに当該ＨＤＤユニットを挟んで対峙する位置に形成された指入れ凹部を有する筺体と、
この筺体内部において前記ＨＤＤユニットと電気的に接続されて同ＨＤＤユニットに対してデータの記録および読み出しを行う記録読出手段と、
前記指入れ凹部内で侵入物を検知する指入れ検知手段と、
この指入れ検知手段で前記指入れ凹部内で侵入物を検知すると前記ＨＤＤユニットに対してアクセスを停止させるアクセス停止手段とを具備することを特徴とするハードディスク記憶装置。
【請求項２】
前記ＨＤＤユニットへのアクセス時に点灯して知らせるアクセスランプを有し、
前記指入れ検知手段は、このアクセスランプの点灯光を前記指入れ凹部内で貫通させつつ、貫通光の有無を検知する受光センサーを有し、前記アクセスランプが点灯しつつ前記受光センサーが貫通光を受光しないときに前記指入れ凹部内の侵入物を検知することを特徴とする請求項１に記載のハードディスク記憶装置。
【請求項３】
前記指入れ検知手段は、前記アクセスランプの点灯光を照射するハーフミラーを備え、同ハーフミラーの貫通光を前記指入れ凹部内で貫通させつつ、反射光を前記指入れ凹部の開口側に向けて照射させることを特徴とする請求項２に記載のハードディスク記憶装置。
【請求項４】
前記指入れ検知手段は、前記指入れ凹部の開口部分を開閉するための開閉扉を有するとともに、この開閉扉の開状態を検知する扉センサーを備え、同扉センサーで開状態を検知したときに前記指入れ凹部内の侵入物を検知することを特徴とする請求項１に記載のハードディスク記憶装置。
【請求項５】
前記指入れ検知手段は、前記指入れ凹部の内壁面にタッチセンサーを備え、同タッチセンサーで接触や近接を検知したときに前記指入れ凹部内の侵入物を検知することを特徴とする請求項１に記載のハードディスク記憶装置。
【請求項６】
前記アクセス停止手段は、前記ＨＤＤユニットに対してアクセスを停止させるとともに警告を発生させることを特徴とする請求項１〜請求項５に記載のハードディスク記憶装置。
【請求項７】
前記記録読出手段は、テレビ放送を受信するチューナと、同チューナで受信したテレビ番組を前記ＨＤＤユニットで記録再生させる記録再生制御手段と、前記チューナでの受信と前記記録再生制御手段での記録再生を制御する制御手段を備えることを特徴とする請求項１〜請求項６のいずれかに記載のハードディスク記憶装置。
【請求項８】
所定のケース内に記憶媒体を装着して脱着可能とした記憶媒体ユニットと、
この記憶媒体ユニットを挿入可能でパネル面に開口する収容穴を備えて、挿入完了時に同記憶媒体ユニットのケースの背面がほぼ前記パネル面と面一となり、電気的な接続が完了するとともに、前記開口の開口縁部において前記記憶媒体ユニットを挿入したときに当該記憶媒体ユニットを挟んで対峙する位置に形成された指入れ凹部を有する筺体と、
この筺体内部において前記記憶媒体ユニットと電気的に接続されて同記憶媒体ユニットに対してデータの記録および読み出しを行う記録読出手段と、
前記指入れ凹部内で侵入物を検知する指入れ検知手段と、
この指入れ検知手段で前記指入れ凹部内で侵入物を検知すると前記記憶媒体ユニットに対してアクセスを停止させるアクセス停止手段とを具備することを特徴とする記憶装置。
【発明の詳細な説明】
【技術分野】
【０００１】
本発明は、ＨＤＤに所定のケースを装着した脱着可能なＨＤＤユニットを装着するハードディスク記憶装置および記憶装置に関する。
【背景技術】
【０００２】
通常、電子機器内の筺体内に固定的に装着するハードディスクドライブ（ＨＤＤ）に所定のケースを装着し、ケースごと同筺体に脱着可能とした使い方がある。しかし、記憶媒体へのデータのアクセス中に脱着するとデータの損傷も起こりえる。このようなことを避けるため、特許文献１〜４が開示されている。
特許文献１は、手を近づけると報知音が鳴る車載用オーディオビジュアルナビゲーション装置に関する。特許文献１には、請求項１と請求項５に、「操作部に近づくユーザの手を検知して、手を近づけた操作部の周囲の照明を点灯し、報知音が鳴る。」との開示がある。
【０００３】
特許文献２は、誤操作の危険度に応じて段階的に警告表示する警告装置、デジタルカメラの警告装置などに関する。特許文献２には、請求項１に、「記録媒体への記録動作中の誤操作を検出する複数の検出手段と、警告情報の出力状態を段階的に変化させる制御手段を備える。」との開示がある。
特許文献３は、アクセス中に抜き取り禁止表示を行う記録または再生装置に関する。特許文献３には、請求項４に、「メモリーカードへのアクセス中は抜き取り禁止表示を行う。」、また、請求項５に、「抜き取り警告表示時にカード抜き取りを禁止するロック手段を作動する。」との開示がある。
【０００４】
特許文献４は、アクセス中にカバーを開くとブザーが鳴る電子機器に関する。特許文献４には、請求項１に、「メインスイッチカバーの開閉を検知し、ハードディスク装置にアクセス中にメインスイッチカバーを開けた場合、ブザーを鳴らす。」との開示がある。
【先行技術文献】
【特許文献】
【０００５】
【特許文献１】特開２０００−０３６１５３号公報
【特許文献２】特開２００２−３３０３８４号公報
【特許文献３】特開２００５−１７６０４３号公報
【特許文献４】特開２００４−２７２９４０号公報
【発明の概要】
【発明が解決しようとする課題】
【０００６】
記録媒体へのアクセス中に排出されると、記録されているデータの破壊だけでなく、記録媒体が物理的に破損することもある。
上述した特許文献は、脱着に対する警告や、脱着自体を禁じる技術を開示する。
しかし、脱着を禁じる構造とするためには、付加的な機構が必ず必要になるし、現に記憶媒体を引き抜きつつある操作者に対する警告では遅いことがあるという課題があった。
【０００７】
本発明は、最小限の構成で効率的にデータの損傷を防止する。
【課題を解決するための手段】
【０００８】
本発明は、ハードディスクに所定のケースを装着された脱着可能なＨＤＤユニットと、このＨＤＤユニットを挿入可能でパネル面に開口する収容穴を備えて、挿入完了時に同ＨＤＤユニットのケースの背面がほぼ前記パネル面と面一となり、電気的な接続が完了するとともに、前記開口の開口縁部において前記ＨＤＤユニットを挿入したときに当該ＨＤＤユニットを挟んで対峙する位置に形成された指入れ凹部を有する筺体と、この筺体内部において前記ＨＤＤユニットと電気的に接続されて同ＨＤＤユニットに対してデータの記録および読み出しを行う記録読出手段と、前記指入れ凹部内で侵入物を検知する指入れ検知手段と、この指入れ検知手段で前記指入れ凹部内で侵入物を検知すると前記ＨＤＤユニットに対してアクセスを停止させるアクセス停止手段とを具備する構成としてある。
【０００９】
前記構成において、筺体は、ＨＤＤユニットを挿入可能でパネル面に開口する収容穴を備えている。ＨＤＤに所定のケースを装着されたＨＤＤユニットは、このパネル面の収容穴に対して挿入する。挿入が完了すると、電気的な接続が完了する。筺体内部には、録読出手段が備えられ、前記ＨＤＤユニットと電気的に接続されて同ＨＤＤユニットに対してデータの記録および読み出しを行う。
【００１０】
ＨＤＤユニットのケースの背面は、ほぼ前記パネル面と面一となっている。従って、このままではＨＤＤユニットを引き抜くことができない。しかし、前記開口の開口縁部には前記ＨＤＤユニットを挿入したときに当該ＨＤＤユニットを挟んで対峙する位置に指入れ凹部が形成されている。例えば、親指と人差し指をそれぞれの指入れ凹部に挿入すると、その間にＨＤＤユニットが位置するので、つまむようにして引き抜くことができる。
【００１１】
一方、指入れ検知手段は指入れ凹部内で侵入物（上述した例では親指と人差し指）を検知することができ、この指入れ検知手段が指入れ凹部内の侵入物を検知すると、アクセス停止手段はＨＤＤユニットに対してアクセスを停止させる。
アクセスが停止されることで、ＨＤＤユニットが引き抜かれてもデータの損傷を防げる。
本発明の他の態様において、前記ＨＤＤユニットへのアクセス時に点灯して知らせるアクセスランプを有し、前記指入れ検知手段は、このアクセスランプの点灯光を前記指入れ凹部内で貫通させつつ、貫通光の有無を検知する受光センサーを有し、前記アクセスランプが点灯しつつ前記受光センサーが貫通光を受光しないときに前記指入れ凹部内の侵入物を検知する構成としても良い。
【００１２】
前記構成において、アクセスランプは前記ＨＤＤユニットへのアクセス時に点灯する。このアクセスランプの点灯光は前記指入れ凹部内で貫通されており、受光センサーが貫通光の有無を検知している。前記指入れ凹部内に侵入物が入ると、アクセスランプが点灯しても侵入物が遮るので、受光センサーは貫通光を受光しない（貫通光がない）。これを利用し、指入れ検知手段は、指入れ凹部内の侵入物を検知する。
【００１３】
また、前記指入れ検知手段は、前記アクセスランプの点灯光を照射するハーフミラーを備え、同ハーフミラーの貫通光を前記指入れ凹部内で貫通させつつ、反射光を前記指入れ凹部の開口側に向けて照射させる構成としても良い。
前記構成において、ハーフミラーにアクセスランプの点灯光を照射することで、同ハーフミラーの貫通光を指入れ凹部内で貫通させることができ、上述したように指入れ凹部内の侵入物を検知することができる。また、反射光は指入れ凹部の開口側に向けて照射させることで、筺体の外側でも指入れ凹部の開口からアクセスランプの点灯を視認できる。
【００１４】
本発明の他の態様において、前記指入れ検知手段は、前記指入れ凹部の開口部分を開閉するための開閉扉を有するとともに、この開閉扉の開状態を検知する扉センサーを備え、同扉センサーで開状態を検知したときに前記指入れ凹部内の侵入物を検知する構成としても良い。
前記構成において、指入れ凹部の開口部分を開閉するための開閉扉が備えられており、前記指入れ凹部内に侵入物が入るときにはこの開閉扉を開いてから入ることになる。このため、扉センサーは開状態を検知し、同扉センサーで開状態を検知したときに前記指入れ凹部内の侵入物を検知することができる。
【００１５】
本発明の他の態様において、前記指入れ検知手段は、前記指入れ凹部の内壁面にタッチセンサーを備え、同タッチセンサーで接触や近接を検知したときに前記指入れ凹部内の侵入物を検知する構成としても良い。
前記構成において、指入れ凹部の内壁面に備えられたタッチセンサーで、指入れ凹部の内壁面に接触や近接する人体などを検知することができ、前記指入れ凹部内の侵入物を検知してＨＤＤユニットに対するアクセスを停止することができる。
【００１６】
さらに、本発明の他の態様として、前記アクセス停止手段は、前記ＨＤＤユニットに対してアクセスを停止させるとともに警告を発生させる構成としても良い。
警告を発生することで、引き抜こうとする直前に警告を認識し、引き抜くことを止めることが期待できる。
本発明の他の態様として、前記記録読出手段は、テレビ放送を受信するチューナと、同チューナで受信したテレビ番組を前記ＨＤＤユニットで記録再生させる記録再生制御手段と、前記チューナでの受信と前記記録再生制御手段での記録再生を制御する制御手段を備える構成としても良い。
【００１７】
前記構成において、制御手段による制御のもとで、チューナで受信したテレビ番組を、記録再生制御手段によって前記ＨＤＤユニットで記録再生させる。
【発明の効果】
【００１８】
本発明によれば、ＨＤＤユニットに対するロック機構は一切設けることなく、記録媒体へのアクセス中の誤排出によるデータの破壊やメディアの物理的破損を防ぐことができる。
【図面の簡単な説明】
【００１９】
【図１】ハードディスク記憶装置を適用した録画再生機のブロック図である。
【図２】録画再生機の外観斜視図である。
【図３】録画再生機の部分断面図である。
【図５】指入れ凹部内の拡大した概略構成図である。
【図４】ハードディスク記憶装置の制御処理の一部のフローチャートである。
【図６】第二実施例にかかる指入れ凹部内の拡大した概略構成図である。
【図７】第三実施例にかかる指入れ凹部に関する回路図である。
【発明を実施するための形態】
【００２０】
以下、図面にもとづいて本発明の実施形態を説明する。
（第一実施例）
図１は、本発明の一実施形態にかかる常時録画機能を有する録画再生装置をブロック図により示している。
同図において、本録画再生装置１０は、六つのチューナ（デジタルチューナ）１１（１１ａ１〜１１ａ６）を備えている。各チューナ１１は、地デジチューナ、ＢＳチューナ、ＣＳチューナの機能を備えている。従って、同時に異なる六つのテレビ放送を受信できる。
【００２１】
各チューナ１１ａ１〜１１ａ６のＩＦ出力は、復調器１１ｂ１〜１１ｂ６に入力されており、復調器１１ｂ１〜１１ｂ６はＩＦ出力を復調してエラー処理まで行われた復調信号が、それぞれ個別にデマルチプレクサ１２に入力されている。
【００２２】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。ＣＰＵは後述する誤排出防止処理に加えて、ＯＳＤ（オンスクリーンディスプレイ）で所定の文字や記号も表示可能であり、画面への警告の表示・発生は、後述するデコーダ１５に出力して実施する。なお、画面への警告の表示に加え、音声で警報を出すことを並行して実施しても構わない。
【００２３】
マルチプレクサ１３は、録画時、受信したデジタル放送のコンテンツから録画に必要な情報を注出して再多重し、記録領域としてのＨＤＤユニット１４に記録させる。再生時は、デマルチプレクサ１２がＨＤＤユニット１４から直にデータを読み出す。デマルチプレクサは、チューナ１１で受信したテレビ番組をＨＤＤユニット１４で記録再生させる制御を行うので、記録再生制御手段を構成する。また、チューナ１１での受信も制御するので制御手段をも構成する。さらに、ＨＤＤユニット１４へのデータの記録と読み出しを制御するので記録読出手段をも構成する。
【００２４】
ＨＤＤユニット１４は、デジタル放送のコンテンツを記録可能である。このＨＤＤユニット１４は、脱着可能な記憶媒体であり、コネクター１２ａを介してデマルチプレクサ１２と電気的に接続可能である。また、ハードディスクドライブ（ＨＤＤ）に対してコネクターが露出するようにケースを装着したものである。ＨＤＤユニット１４は、ｉＶＤＲ（登録商標）カートリッジの規格品が存在する。すなわち、ＨＤＤユニット１４はＨＤＤに所定のケースを装着したものである。
【００２５】
本実施例では、ハードディスクが記憶媒体となっているが、ブルーレイディスクを記憶媒体とするブルーレイディスクドライブや、半導体素子を記憶媒体とした記憶媒体ユニット場合でも、誤排出時のデータの破壊の問題は共通である。一方、ハードディスクを記憶媒体とする場合は、誤排出はヘッドの破壊という物理的かつ致命的な損傷が生じる可能性が大きい。
受信したデジタル放送のトランスポートストリームあるいはＨＤＤユニット１４から読み出されたデータはデコーダ１５に入力され、映像信号と音声信号とに分離され、デコードされる。デコードされた映像信号は所定のＩ／Ｏ回路１６を介して外部機器に出力される。また、デコードされた音声信号は同様のＩ／Ｏ回路１８を介して外部機器に出力される。映像信号も音声信号もデジタル出力、あるいはアナログ出力に対応しているが、出力形態は特に限定されるものではない。
【００２６】
本録画再生装置１０に対する操作指示は、操作パネル２１を介してデマルチプレクサ１２が取得し、所定の制御に反映させる。また、リモコン２２を介する操作指示も同様に取得可能となっている。
図２は、録画再生機を外観斜視図により示している。
【００２７】
同図（ａ）に示すように、本録画再生装置１０は、薄い箱形の筐体３０内部に収容されている。筐体３０の前面のパネル面の一部には操作パネル２１の操作子２１ａなどが配置されている。筐体３０の前面には、水平方向に長い矩形の窓３１が開口している。この窓３１には、ＨＤＤユニット１４がケースごと挿入可能な開口であり、筺体３０には窓３１の奥へと続く収容穴が形成されている。窓３１の奥では筐体３０内でコネクター１２ａが待ち受けており、ＨＤＤユニット１４を挿入していくと、挿入完了時に、露出しているコネクターが前記コネクター１２ａと機械的および電気的に接続できるようになっている。
【００２８】
なお、デマルチプレクサ１２は、筺体３０内部においてＨＤＤユニット１４と電気的に接続されて同ＨＤＤユニット１４に対してテレビ放送に対応するデータの記録および読み出しを行うので、記録読出手段に相当する。
同図（ｂ）に示すように、窓３１は、水平方向の開口幅がＨＤＤユニット１４の外形の横幅よりも、広く開口している。ＨＤＤユニット１４を窓３１を介して挿脱する際、同ＨＤＤユニット１４における前記コネクターを有する面とは反対の面（背面）の側からＨＤＤユニット１４の両側面を指でつまむように挟んで抜き差しする。ＨＤＤユニット１４を電気的に接続する位置まで完全に挿入すると（挿入完了時）、ＨＤＤユニット１４の背面は筐体３０の前面とほぼ面一となる。
【００２９】
しかし、窓３１が幅方向で広く開口しているので、ＨＤＤユニット１４の両側面を指でつまんだまま挿入していっても、指先はこの開口内に入り込むことができ、挿入作業に支障を生じない。特に、抜き取り作業においても、この窓３１の幅方向に生じている開口から指先を入れ、ＨＤＤユニット１４の両側面を挟むようにつまむことで引き抜くことができる。なお、このように指先を挿入できる凹部という意味で、窓３１の開口縁部において幅方向に本来の開口よりも広く開口している余分な開口部分を指入れ凹部３１ａ，３１ａと呼ぶ。
【００３０】
指入れ凹部３１ａ，３１ａは、窓３１の開口においてＨＤＤユニット１４を挿入したときに当該ＨＤＤユニット１４を挟んで対峙する位置に形成される。これは、ＨＤＤユニット１４がほぼ完全に筺体３０内に挿入され、背面だけが面一で露出している状態では、ＨＤＤユニット１４を両側から指先で挟めないと引き抜くことができないからである。両側から挟めれば良いので、幅方向の両側に形成されるだけではなく、垂直方向の両側から挟めるように、窓３１の上下の長辺の中程あたりを切り欠くようにして指入れ凹部３１ａ，３１ａを形成することも可能である。基本的には丸みを帯びた切り欠きとするが、指先が入り込めるような形状であれば特に限定はされない。また、幅方向の両側に開口する場合は窓３１自体の縁部との境目はなくなることもあるが、その場合でもＨＤＤユニット１４を出し入れするのに必要な開口よりも大きく形成されている開口部分が指入れ凹部３１ａ，３１ａに相当する。
図３は、録画再生機を概略断面図により示している。
【００３１】
同図（ａ）は、本実施例のハードディスク記憶装置を示している。ＨＤＤユニット１４の背面が面一というのは、指入れ凹部３１ａから以外ではＨＤＤユニット１４を抜き出せないことを表しており、ＨＤＤユニット１４が筺体３０の前面よりもさらに奥まで挿入されている場合も含むし、ＨＤＤユニット１４が筺体３０の前面からやや突出する程度までしか挿入されない場合も含む。いずれの場合も、指入れ凹部３１ａ，３１ａに指先を挿入しないとつまめない状況に近ければよい。
【００３２】
一方、同図（ｂ）は、改良前のハードディスク記憶装置を示している。この場合は、ＨＤＤユニット１４の背面が筺体３０の前面よりも十分に突き出ているので、指入れ凹部３１ａが無くてもＨＤＤユニット１４をつまんで引き抜く操作が可能である。
図４は、指入れ凹部内を拡大した概略構成図により示している。
指入れ凹部３１ａ内では、天井面と底面に、それぞれ発光素子３２と受光素子３３とが配置されており、さらに天井面の側には導光素子３４が配置されている。まず、発光素子３２はＬＥＤであり、ＨＤＤユニット１４のＨＤＤに対するアクセス時に点灯するアクセスランプである。次に、受光素子３３はフォトトランジスターであり、受光センサーに相当し、発光素子３２の光を受光してオンとなり、受光しないときはオフとなる。導光素子３４は外形的には透明の樹脂で成形されており、機能的にはハーフミラーに相当する。そして、発光素子３２からの一部の光を指入れ凹部３１ａの開口側に向けて反射し、発光素子３２からの一部の光を受光素子３３に向けて直進させる。すなわち、発光素子３２からの点灯光は導光素子３４に向けて照射され、同導光素子３４を貫通した貫通光は指入れ凹部３１ａ内を貫通しているし、導光素子３４内で反射した反射光は指入れ凹部３１ａの開口側に向けて照射されている。
発光素子３２も受光素子３３もデマルチプレクサ１２に接続されており、内部のＣＰＵにて状況を判断できるようになっている。
【００３３】
図５は、ハードディスク記憶装置の制御処理の一部をフローチャートにより示している。
デマルチプレクサ１２内のＣＰＵは本録画再生装置１０の各部を制御可能であり、本実施例での各種の制御手段を構成する。図５に示す誤排出防止処理のフローチャートに示す処理手順も同ＣＰＵが主に実行する。
ＣＰＵは、Ｓ１００にて、ＨＤＤユニット１４にアクセス中か判断する。ＨＤＤユニット１４へのデータの記録と再生は、デマルチプレクサ１２による制御のもとで録画時は受信したデジタル放送のコンテンツから録画に必要な情報を注出して再多重してＨＤＤユニット１４に記録させ、また、再生時は、デマルチプレクサ１２がＨＤＤユニット１４から直にデータを読み出す。従って、これらの録画または再生中であるか否かを判断する。なお、この他にも設定操作で必要な設定値などを読み書きする場合も該当する。また、録画または再生はデマルチプレクサ１２が実質的に実施しており、デマルチプレクサ１２は記録読出手段に相当する。
【００３４】
アクセス中でなければ、本処理を終了する。アクセス中である場合、さらに、Ｓ１０２にて、受光素子３３がオフになっているか判断する。上述したように、アクセス中であれば発光素子３２は点灯し、指入れ凹部３１ａ，３１ａ内に指先を入れていなければ、発光素子３２の点灯光は受光素子３３に入射され、同受光素子３３はオンとなる。もし、発光中であるにもかかわらず、受光素子３３の検出結果がオフであれば、指入れ凹部３１ａ，３１ａ内に指先を入れていることになる。すなわち、指入れ凹部３１ａ，３１ａ内への侵入物を検知したことに相当する。すなわち、このＳ１０２の処理と、発光素子３２と受光素子３３と導光素子３４等により指入れ検知手段を構成している。
【００３５】
指入れ凹部３１ａ，３１ａ内への侵入物を検知したので、ユーザがアクセス中であるにもかかわらずＨＤＤユニット１４を引き抜こうとしている可能性が高い状況であり、ＣＰＵは、Ｓ１０４にて、ＨＤＤユニット１４へのアクセスを停止する。この処理は、指入れ検知手段で指入れ凹部内で侵入物を検知するとＨＤＤユニット１４に対してアクセスを停止させるアクセス停止手段に相当する。
【００３６】
アクセスを停止する具体的な方法として、ｉＶＤＲあればその制御コマンドはＡＴＡ標準である。その制御コマンドの中には、「ＳＴＡＮＢＹ」や「ＳＴＡＮＢＹ  ＩＭＭＥＤＩＡＴＥ」というものがあり、このコマンドをデバイスに送ることにより、ヘッドを退避させることができる。本実施例では、ｉＶＤＲの引き抜き（指検知）すると、すぐに「ＳＴＡＮＢＹ」や「ＳＴＡＮＢＹ  ＩＭＭＥＤＩＡＴＥ」のコマンド発行し、ヘッドを退避させることで物理的クラッシュを防ぐことが可能となる。
【００３７】
Ｓ１０４にて、ＨＤＤユニット１４へのアクセスを停止させたら、ＣＰＵは、Ｓ１０６にて、ＯＳＤで警告を表示する。例えば、映像信号を入力している図示しない外部のディスプレイ上に「ＨＤＤへアクセス中のため、ＨＤＤユニットを抜かないでください！」と行った文字および図形などが表示される。
ユーザは、このようなＯＳＤによる警告を見てＨＤＤユニット１４を抜いてはいけない時期であることが、引き抜き前に分かればＨＤＤユニット１４を抜くのを止める場合もある。一つのオプションとして、ＣＰＵは、一定の時間待ってみて抜かれていない場合は、ＨＤＤユニット１４へのアクセスを再開することも可能である。この場合、ＣＰＵは、Ｓ１１０にて、タイムアウトと判断されるまで、Ｓ１０８にて、ＨＤＤユニット１４は抜かれていないか判断し続ける。タイムアウトになる前に抜かれていれば、ＣＰＵは、Ｓ１１６にて、ＨＤＤユニット１４へのアクセスを中断して処理を終了する。
【００３８】
一方、タイムアウトになるまでＨＤＤユニット１４が抜かれていないと判断され続けた場合は、ユーザが警告に気づいた場合に相当するから、ＣＰＵは、Ｓ１１２にて、ＨＤＤユニット１４へのアクセス再開をさせ、Ｓ１１４にて、アクセス終了と判断されるまで待機して処理を終了する。
本実施例では、記録機器である記録再生装置に、記録媒体であるＨＤＤユニット１４を挿入した際に、記録媒体全体（ＨＤＤユニット１４）が機器（１０）内部に収納され、記録媒体を排出する際には、ユーザが記録媒体であるＨＤＤユニット１４を手指で保持するはずである。そして、指入れ凹部３１ａ，３１ａのように手指で保持できる箇所を限定し、手指の該当箇所（指入れ凹部３１ａ，３１ａ）への挿入をセンサーで検出できる筐体３０の構造としている。
【００３９】
すなわち、記録媒体へのアクセス中に、記録媒体へ手指の接近が検出された場合、警告音を発する・表示装置に警告を表示する等の手段を用いてユーザの誤排出を防ぐことが可能となる。
【００４０】
本実施例では、
・記録媒体（ＨＤＤユニット１４）を手動で挿抜する構造を有する記録装置（録画再生装置１０）であること、
・記録媒体全体がセット本体（録画再生装置１０の筺体３０）に収納される構造を有すること、
すなわち、記録媒体（ＨＤＤユニット１４）を取り出す際には、媒体挿入部（窓３１）の近傍に設けた穴もしくは凹部（指入れ凹部）に指を入れて、記録媒体（ＨＤＤユニット１４）をつかんで引き抜く構造（指を入れないと引き抜けない構造）とする。なお、上述した実施例では、指入れ凹部は記録媒体（ＨＤＤユニット１４）の側面に位置しているが、記録媒体（ＨＤＤユニット１４）の天面および底面など、記録媒体（ＨＤＤユニット１４）の引き抜きが可能で保持できる箇所が限定できればその設置箇所は問わない。また、穴もしくは凹部（指入れ凹部３１ａ，３１ａ）に指が入ったことはアクセスランプである発光素子（ＬＥＤ）３４検知する装置を備える。（光学センサー、スイッチ、タッチセンサー等）
【００４１】
（第二実施例）
図６は、第二実施例にかかる指入れ凹部内を拡大した概略構成図により示している。
上述した実施例では、指入れ検知手段として、アクセスランプの点灯光を利用していたセンサーを構成していたが、指入れ凹部内の侵入物の検知は他の各種の実現可能な手法が存在する。図６に示すものでは、同図（ａ）に示すように、上述した指入れ凹部３１ａ，３１ａの開口部分に開閉扉３５ａ，３５ａを装着してあり、同図（ｂ）に示すようにその回転軸に連動するマグネットスイッチ３６をデマルチプレクサ１２に連結してある。
【００４２】
指入れ凹部３１ａ，３１ａに指先が入れば、開口部分の開閉扉３５ａ，３５ａを開動作させることになり、このときに回転軸に連結させたマグネットが移動してマグネットスイッチ３６が非導通から導通へと変化する。デマルチプレクサ１２はマグネットスイッチ３６の導通状況に基づいて、指入れ凹部３１ａ，３１ａに指先が入っているか否かを判断できる。なお、この意味でマグネットスイッチ３６は扉の開状態を検出する扉センサーに相当する。
【００４３】
（第三実施例）
上述した実施例では実際に指入れ凹部に指先が入った場合だけを検出できる。しかし、安全面を考慮すると、より早期にユーザの意向を検出できれば、より早期にアクセスの停止を実行でき、データの損傷やヘッドの物理的クラッシュを防ぐことができる。
図７は、第三実施例にかかる指入れ凹部に関して回路図により示している。
【００４４】
本実施例は、いわゆる近接スイッチを実現したものである。近接スイッチはタッチパネル３７と呼ばれるセンサーとグランドとの間の静電容量の変化を監視する。
例えば、指入れ凹部３１ａの内壁面としてタッチパネル３７を配置しておけば、ユーザが指入れ凹部３１ａに指を入れようとする際（近接した際）には検出することができる。また、遅くとも同内壁面に触れたと（接触した際）しても検出することができる。すなわち、タッチパネル３７とデマルチプレクサ１２とによって指入れ検知手段を実現している。指入れ凹部３１ａへの指先の侵入を検知した場合の処理は、上述した実施例と同様に行えばよい。
【００４５】
なお、警告の出し方に加え、誤検出を検知した場合には、
１：警告音を発する
２：表示装置に警告を表示する
３：アクセスを止める
等の手段を用いてユーザの誤排出を防ぐ。これらの防止手段は、単独で実施しても、複数の手段を組み合わせて実施してもよい。また、構造が複雑にはなるものの、メディアをロックする機構を併せて実施しても構わない。
【００４６】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００４７】
１０…録画再生装置、１１…チューナ、１１ａ１〜１１ａ６…チューナ（デジタルチューナ）、１１ｂ１〜１１ｂ６…復調器、１２…デマルチプレクサ、１２ａ…コネクター、１３…マルチプレクサ、１４…記録媒体（ＨＤＤユニット）、１５…デコーダ、１６…Ｉ／Ｏ回路、１８…Ｉ／Ｏ回路、２１…操作パネル、２１ａ…操作子、２２…リモコン、３０…筐体、３１…窓、３１ａ…指入れ凹部、３２…発光素子、３３…受光素子、３４…導光素子、３５ａ…開閉扉、３６…マグネットスイッチ、３７…タッチパネル。
【図１】
2015187899.tif 000003
【図２】
2015187899.tif 000004
【図３】
2015187899.tif 000005
【図４】
2015187899.tif 000006
【図５】
2015187899.tif 000007
【図６】
2015187899.tif 000008
【図７】
2015187899.tif 000009